(57)【特許請求の範囲】
【請求項１】
外向きのアサリを付けた外刃（７）を５０％、内向きのアサリを付けた内刃（８）を２５％、アサリを付けない中立刃（９）を２５％の割合で、３種の鋸歯が鋸歯４対または８対を基本繰り返し単位として規則的に配列されていることを特徴とする鋸刃の配列を有する鋸。
【請求項２】
前記外刃の対と次の外刃の対との間に、前記内刃の対および前記中立刃の対が交互に配列されている請求項１に記載の鋸刃の配列を有する鋸。
【請求項３】
前記外刃の対と次の外刃の対との間に、前記内刃と前記中立刃とからなる鋸歯の対および前記中立刃と前記内刃とからなる鋸歯の対とが交互に配列されている請求項１に記載の鋸刃の配列を有する鋸。
【発明の詳細な説明】
【技術分野】
【０００１】
本発明は、鋸歯の配列に関する。
【背景技術】
【０００２】
鋸は、鋸身の材質・形状や鋸歯の形状により、さらには鋸歯の配列によって切断効率や寿命が影響される。特に手挽き鋸は、限られた人間の力でも効率的に切れて、かつ、切れ味・感触にも勝れたものが望まれている。
手挽き鋸には、（１）縦挽き目からなる縦挽き鋸、（２）横挽き目からなる横挽き鋸、（３）横挽き目を改良して横挽き鋸で挽く方向が両方であるイバラ目鋸、（４）縦挽きと横挽きの兼用鋸等があり、それ以外の（５）特殊目鋸も一部で試みられている。その他に、丸鋸やチェーンソー等の機械挽き鋸がある。
【０００３】
通常の鋸は、鋸歯を表裏交互に配列して構成されている。鋸歯配列の所々に、性質の異なる鋸歯や、切り屑を排出させるための掻き出し歯あるいは掻き出し用の空所を挿入することもある。
いずれの鋸歯においても、鋸歯の最先端で木材を切っている。
鋸がよく切れるためには、次の通りの鋸三原則がある。すなわち、
イ．鋸身が薄い程良く切れる（喰い込みが良い）、
ロ．鋸身が硬い程長期間切れる（寿命が長い）、
ハ．鋸歯が大きい程ザクザク多く切れる（切り屑（オガクズ）が大きい）、
である。
【０００４】
鋸身は、薄過ぎては腰が弱くなり、しなりやすく曲がりやすくなって、使い勝手が悪くなる。また、鋸歯の幅と鋸身の厚さとが基本的に同じである場合には、鋸挽きの進行と共に鋸身と切条との間の摩擦が強まり、鋸を挽くのに必要な力が増大していく。そのために、鋸歯を鋸身の厚さ方向に曲げ拡げて（アサリをつけて）実質的に鋸の見掛けの厚さを厚くしていた。
【０００５】
本発明者は、アサリのある対とアサリのない対が、１つおきに交互に連続し、隣り合う各鋸歯の天部の三角形刃先面が斜めに対向して並列する鋸歯（の配列）（特許文献１参照）、大きなアサリの一対と小さなアサリの一対とが一対づつ交互に歯道に連続する鋸歯（の配列）（特許文献２参照）、内アサリを付けた対と外アサリを付けた対とがそれぞれ組として交互に隣り合って対をなして配列されている鋸歯の配列（特許文献３参照）をこれまで提案してきた。
【０００６】
また、縦挽きと横挽きとを兼用する両刃鋸に関してであるが、横挽き及び縦挽きを兼用する内刃，中刃及び外刃から成る鋸において、その内刃と中刃のピッチを外刃のピッチより巾広くかつ深く構成することを特徴とする鋸（歯の配列）（特許文献４参照）および鋸刃の全長にわたり、外向きのアサリを付与した外刃対を設け、この外刃対の所定目数毎に中刃対を，つづいて外刃対の所定目数毎に内刃対をそれぞれ入れ、中刃対のアサリは僅か外向きに，内刃対のアサリは僅か内向きに設定し、それぞれの刃の先端高さを外刃対は低く、中刃対及び内刃対は外刃対より高く設定し、外刃対の先端部の左右両側面に鋸挽きの垂直断面に対し僅か内側方に傾斜角度を設定して成る鋸（歯の配列）（特許文献５参照）も提案されている。
【０００７】
なお、特許文献４と特許文献５とは、その発明者が共通であり、それぞれの図１を対比すると、特許文献５でも、特許文献４における「内刃と中刃のピッチを外刃のピッチより巾広くかつ深く構成する」ことは踏襲されているものと考えられる。
【特許文献１】実用新案登録第２５８７９７９号公報
【特許文献２】特許第２９３４１４０号公報
【特許文献３】特開２００２−３４７００６号公報
【特許文献４】特許第２６９１７０４号公報
【特許文献５】特許第３１７７１７４号公報
【０００８】
特許文献１〜３の提案によって、２種類の鋸歯を最小繰り返し単位で混在させることによって、切れ味も鋭く、製造も比較的容易な鋸歯の配列が実現した。
しかし、実際に使用した利用者から、切れ味は良いが、手挽き鋸としては抵抗が大きく疲れやすい、また、切り始めに鋸目の入りが不安定になりがちである、等の声が寄せられ、更なる改良が望まれている。
【発明の開示】
【発明が解決しようとする課題】
【０００９】
以上の要望に鑑み、本発明の課題は、切れ味を余り落とすことなく、切れ始めの鋸目の入りをスムーズにし、鋸挽き抵抗が軽減された鋸を提供することにある。
【課題を解決するための手段】
【００１０】
本発明の鋸刃の配列を有する鋸は、外向きのアサリを付けた外刃を５０％、内向きのアサリを付けた内刃を２５％、アサリを付けない中立刃を２５％の割合で、３種の鋸歯が鋸歯４対または８対を基本繰り返し単位として規則的に配列されていることを特徴とする。
前記外刃の対と次の外刃の対との間に、前記内刃の対および前記中立刃の対が交互に配列させること、また、前記外刃の対と次の外刃の対との間に、前記内刃と前記中立刃からなる鋸歯の対および前記中立刃と前記内刃とからなる鋸歯の対とが交互に配列させることができる。
【発明の効果】
【００１１】
本発明の鋸歯の配列は、外刃の配列は特許文献２と同じであるが、その対の間に配される内刃ないし中立刃は、それぞれの繰り返し単位がより大きくなっており、鋸三原則のイおよびハを満足しており、かつ、３種類の鋸歯を混在させていることによって、各鋸歯が分担する木材の切断断面積が小さくなっていること、等が複合的に作用しているものと考えられる。被験者の感応試験の結果では、先に挙げた特許文献１〜３に寄せられた声に関して、改善していると感じている。
【発明を実施するための最良の形態】
【００１２】
本発明は、ほぼ均一な厚みの鋸身に鋸歯を刻み、所望のアサリを付して作製する鋸を基本とする。
以下、図面に基づいて、手挽き鋸の横挽き鋸を例にして、本発明を詳細に説明する。
図１は、横挽き目を説明するための模式図である。
図２は、本発明の実施の第１の形態を示す天の斜面によって鋸歯の配列を示す説明図である。図３は、図２のイ線、ロ線、ハ線、ニ線部分の鋸歯の断面を鋸身に沿った方向から見た模式図である。
【００１３】
図４は、本発明の実施の第２の形態を示す天の斜面によって鋸歯の配列を示す説明図である。図５は、図４のホ線、ヘ線、ト線、チ線部分の鋸歯の断面を鋸身に沿った方向から見た模式図である。
図６は、本発明の実施の第３の形態を示す天の斜面によって鋸歯の配列を示す説明図である。図７は、本発明の実施の第４の形態を示す天の斜面によって鋸歯の配列を示す説明図である。図６、図７に対応する図３類似の図は省略する。
【００１４】
横挽き目は、図１に示すように、鋸身の厚さに対して斜めの角度をつけて鋸歯の斜面ａを有する鋸歯を形成する。横挽き目では、鋸歯のすくい角θと鋸歯の斜面ａの角度、天の斜面ｃの角度とが合成されて、被切断物への掛かりが決まることになる。鋸歯のすくい角および鋸歯の斜面の角度が同じでも、天の斜面の角度を急にすると、掛かりが強くなる。なお、ｂは天の斜面の頂点である。
図２において、１は、外向きのアサリを付けた外刃の天の斜面の頂点を結ぶ外刃仮想線、２は、内向きにアサリを付けた内刃の天の斜面の頂点を結ぶ内刃仮想線、３は、アサリを付けない中立刃の天の斜面の頂点を結ぶ中立刃仮想線である。
４、４’は、外刃の天の斜面を示し、その三角の１頂点に示す黒点は天の斜面の頂点を示す。５、５’は内刃の天の斜面、６、６’は中立刃の天の斜面をそれぞれ示し、各三角の１頂点に示す黒点は天の斜面の頂点を示す。
【００１５】
図２に示す本発明の第１の実施の形態では、外刃４、４’の対の間に、内刃５、５’の対と、中立刃６、６’の対とが、交互に挿入されている。したがって、三角形で象徴的に示された鋸歯４対が１繰り返し単位となって繰り返されており、その両側は、各刃の天の斜面の頂点のみを図示してある。
図３は、図２のイ線、ロ線、ハ線、ニ線部分の鋸歯の断面を鋸身に沿った方向から見た模式図であって、断面を示すハッチは省略してある。図３−イと図３−ハには外刃７の対が示されており、図３−ロには内刃の対が、図３−ニには中立刃の対が、それぞれ示されている。
この本発明の第１の実施の形態は、鋸身の中心線に対する対称性が高いことが特徴となっている。
【００１６】
図４に示す本発明の第２の実施の形態では、外刃４、４’の対の間に、内刃５と中立刃６’が一つの対をなし、内刃５’と中立刃６が別の対をなして、交互に挿入されている。したがって、三角形で象徴的に示された鋸歯４対が１繰り返し単位となって繰り返されており、その両側は、各刃の天の斜面の頂点のみを図示してある。
図５は、図３と類似の図で、図４のホ線、ヘ線、ト線、チ線部分の鋸歯の断面を鋸身に沿った方向から見た模式図である。図５−ホと図５−トには外刃７の対が示されており、図５−ヘには中立刃と内刃との対が、図５−チには内刃と中立刃との対が、それぞれ示されている。
この本発明の第２の実施の形態は、図５−ロに示す中立刃と内刃との対と、図５−ニに示す内刃と中立刃との対とで、切り始めにおいて若干鋸身が左右に振れる傾向が見られなくはないが、切れ味や切りながらの感触は、第１の実施の形態とほとんど遜色がないといえる。
【００１７】
図６に示す本発明の第３の実施の形態は、本発明の第１の実施の形態の変形であって、繰り返し単位の始めの４対の鋸歯の配列は、本発明の第１の実施の形態の鋸歯の配列と同じであり、次の４対の鋸歯の配列は、本発明の第１の実施の形態の鋸歯の配列における内刃５、５’の対と、中立刃６、６’の対とが交換されている。したがって、本発明の第３の実施の形態では、三角形で象徴的に示された鋸歯８対が１繰り返し単位となって繰り返されている。鋸歯の繰り返し単位が大きくなっているので、実質的に、鋸三原則のハが作用されるはずであるが、官能試験の結果では、切れ味や切りながらの感触は、第１の実施の形態とほとんど変わらないといえる。
【００１８】
図７に示す本発明の第４の実施の形態は、本発明の第２の実施の形態の変形であって、繰り返し単位の始めの４対の鋸歯の配列は、本発明の第２の実施の形態の鋸歯の配列と同じであり、次の４対の鋸歯の配列は、本発明の第２の実施の形態の鋸歯の配列における内刃５と中立刃６’対と、内刃５’と中立刃６の対とが交換されている。したがって、本発明の第４の実施の形態では、三角形で象徴的に示された鋸歯８対が１繰り返し単位となって繰り返されている。鋸歯の繰り返し単位が大きくなっているので、実質的に、鋸三原則のハが作用されるはずであるが、官能試験の結果では、切れ味や切りながらの感触は、第２の実施の形態とほとんど変わらないといえる。
【００１９】
本発明の鋸歯の配列は、鋸の端部で繰り返し単位のどの鋸歯から始まっても差し支えない。また、鋸歯の総数は、鋸身の長さに合わせて適宜の数とすることができる。したがって、鋸歯の総数は基本繰り返し単位の鋸歯の数の整数倍になるとは限らない場合があり、その場合も本発明に含まれるものとする。
外向きのアサリ、内向きのアサリにおけるアサリの程度にも格別の制限はない。
また、主として横挽き鋸を例にして説明してきたが、本発明の鋸歯の配列は、縦挽き鋸、縦挽きと横挽きの兼用鋸等にも適用可能である。さらには、丸鋸等の機械挽き鋸にも適用され得るものと考えられる。
【産業上の利用可能性】
【００２０】
本発明の鋸歯の配列を有する鋸は、特には手挽き鋸として有利に用いられる。また、横挽き鋸の場合にあっては、果樹の剪定、森林の下枝払い等の生木（枝）の切断や伐採、さらには乾燥した材木の切断等に有利に用いられる。
【図面の簡単な説明】
【００２１】
【図１】横挽き目を説明するための模式図である。
【図２】本発明の実施の第１の形態を示す天の斜面によって鋸歯の配列を示す説明図である。
【図３】図２のイ線、ロ線、ハ線、ニ線部分の鋸歯の断面を鋸身に沿った方向から見た模式図である。
【図４】本発明の実施の第２の形態を示す天の斜面によって鋸歯の配列を示す説明図である。
【図５】図４のホ線、ヘ線、ト線、チ線部分の鋸歯の断面を鋸身に沿った方向から見た模式図である。
【図６】本発明の実施の第３の形態を示す天の斜面によって鋸歯の配列を示す説明図である。
【図７】本発明の実施の第４の形態を示す天の斜面によって鋸歯の配列を示す説明図である。
【符号の説明】
【００２２】
ａ：（鋸歯の）斜面
ｂ：（天の斜面の）頂点
ｃ：天の斜面
θ：（鋸歯の）すくい角
１：（外向きのアサリを付けた外刃の天の斜面の頂点を結ぶ）外刃仮想線
２：内向きにアサリを付けた内刃の天の斜面の頂点を結ぶ内刃仮想線
３：アサリを付けない中立刃の天の斜面の頂点を結ぶ中立刃仮想線
４、４’：外刃の天の斜面
５、５’：内刃の天の斜面
６、６’：中立刃の天の斜面
７：外刃
８：内刃
９：中立刃
【図１】
0004660079.tif 000002
【図２】
0004660079.tif 000003
【図３】
0004660079.tif 000004
【図４】
0004660079.tif 000005
【図５】
0004660079.tif 000006
【図６】
0004660079.tif 000007
【図７】
0004660079.tif 000008